(57)【要約】      （修正有）【課題】本発明は、容易に操作することのできるリザーバを提供する。【解決手段】第１のケース１と、前記第１のケース１にスライド移動可能に取り付けられた第２のケース２と、前記第２のケース２が前記第１のケース１に向けてスライド移動したときに潰されるとともに、前記第２のケース２を前記第１のケース１から離す方向に付勢力を生じさせ、一端に第１の端部３３を有して流体を貯留可能な貯留部３と、を備え、前記第１のケース１は、前記貯留部３が潰された状態で、前記第２のケース２を前記第１のケース１に対して保持するロック部１１、２３を有するようにした。【選択図】図６
2020010867.tif 000002
【特許請求の範囲】
【請求項１】
第１のケースと、
前記第１のケースにスライド移動可能に取り付けられた第２のケースと、
前記第２のケースが前記第１のケースに向けてスライド移動したときに潰されるとともに、前記第２のケースを前記第１のケースから離す方向に付勢力を生じさせ、一端に開口部を有して流体を貯留可能な貯留部と、
を備え、
前記第１のケースは、前記貯留部が潰された状態で、前記第２のケースを前記第１のケースに対して保持するロック部を有することを特徴とするリザーバ。
【請求項２】
請求項１に記載のリザーバにおいて、前記第１のケースは、前記ロック部による保持状態を解除する解除部を有することを特徴とするリザーバ。
【請求項３】
請求項２に記載のリザーバにおいて、前記ロック部は、前記第１のケースから前記解除部を挟む一対の位置で内側に突出する一対の第１の爪部を有し、前記第２のケースから外側に突出する第２の爪部に引っ掛かることにより前記第２のケースを前記第１のケースに対して保持することを特徴とするリザーバ。
【請求項４】
請求項２または３に記載のリザーバにおいて、前記第２の爪部は、一対の前記第１の爪部の両方に引っ掛かる大きさの幅を有しており、前記解除部は、操作されたときに一対の前記第１の爪部の間で前記第２の爪部を内側に押し込んで保持状態を解除することを特徴とするリザーバ。
【発明の詳細な説明】
【技術分野】
【０００１】
本発明は、流体を貯留し、使用者の操作により貯留していた流体を吐出させるリザーバに関する。
【背景技術】
【０００２】
従来、流体を貯留し、使用者の操作により貯留していた流体を吐出させるリザーバが知られている（例えば、特許文献１参照）。この種のリザーバは、例えば、尿路用カテーテル等のバルーンカテーテルに用いられており、バルーンカテーテルにチューブを介して取り付けられ、バルーンカテーテルを尿道に固定するために用いられる。バルーンカテーテルを尿道に取り付ける際には、先ず、バルーンが収縮した状態で尿道内に挿入される。次に、バルーンカテーテルの先端に設けられたバルーンが膀胱内に到達すると、使用者が後端のリザーバを操作してリザーバ内に貯留されていた滅菌水を吐出させ、吐出された滅菌水はバルーン内に注入されてバルーンを膨張させる。これにより、膀胱内でバルーンが膨張して引っ掛かるため、バルーンカテーテルが固定されて尿道からの脱落を防止する。
【０００３】
使用者がリザーバの操作を終了してリザーバが滅菌水の吐出を中止すると、弾性体で形成されたバルーンは収縮して貯留していた滅菌水を吐出し、リザーバに向けて送り返してしまう。このため、バルーンが膨脹すると、使用者は、滅菌水を吐出した状態を維持するようにリザーバを保持しつつ、クリップ等でリザーバとバルーンとを繋ぐチューブを挟んで流路を閉じていた。これにより、バルーンの収縮が防止され、使用者がリザーバを保持しなくてもバルーンカテーテルは尿道内に固定される。
【先行技術文献】
【特許文献】
【０００４】
【特許文献１】特表２０１０−５２７２５５号公報
【発明の概要】
【発明が解決しようとする課題】
【０００５】
しかしながら、上記従来の技術によるリザーバでは、バルーンカテーテルのバルーンを膀胱内で膨張させた状態のときに、滅菌水を吐出した状態のリザーバを使用者が保持する必要があった。
【０００６】
また、使用者が片手でリザーバを保持した状態で、もう一方の手を用いてバルーンとリザーバとを接続するチューブの流路を閉じる必要があった。
【０００７】
このため、特に体の不自由な使用者は、自力で尿路用カテーテルを尿道に留置させることは困難であった。
【０００８】
本発明は、上記従来の技術による課題を解消し、容易に操作することのできるリザーバを提供することを目的とする。
【課題を解決するための手段】
【０００９】
本発明は、第１のケースと、前記第１のケースにスライド移動可能に取り付けられた第２のケースと、前記第２のケースが前記第１のケースに向けてスライド移動したときに潰されるとともに、前記第２のケースを前記第１のケースから離す方向に付勢力を生じさせ、一端に開口部を有して流体を貯留可能な貯留部と、を備え、前記第１のケースは、前記貯留部が潰された状態で、前記第２のケースを前記第１のケースに対して保持するロック部を有することを特徴とする。
【００１０】
この場合において、前記第１のケースは、前記ロック部による保持状態を解除する解除部を有していてもよい。前記ロック部は、前記第１のケースから前記解除部を挟む一対の位置で内側に突出する一対の第１の爪部を有し、前記第２のケースから外側に突出する第２の爪部に引っ掛かることにより前記第２のケースを前記第１のケースに対して保持してもよい。前記第２の爪部は、一対の前記第１の爪部の両方に引っ掛かる大きさの幅を有しており、前記解除部は、操作されたときに一対の前記第１の爪部の間で前記第２の爪部を内側に押し込んで保持状態を解除してもよい。
【発明の効果】
【００１１】
本発明では、容易に操作することのできるリザーバを実現することができる。
【図面の簡単な説明】
【００１２】
【図１】本実施形態に係るリザーバを示す側面図である。
【図２】リザーバを一方の端部側から見た図である。
【図３】図１に係るリザーバを９０度回転させた側面図である。
【図４】第１のケースを他方の端部側から見た図である。
【図５】リザーバの断面図である。
【図６】貯留部が潰れるときのリザーバを示す断面図である。
【発明を実施するための形態】
【００１３】
以下、図面を参照して、本発明の好適な実施の形態について説明する。
図１は、本実施形態に係るリザーバを示す側面図であり、図２は、リザーバを一方の端部側から見た図であり、図３は、図１に係るリザーバを９０度回転させた側面図であり、図４は、第１のケースを他方の端部側から見た図であり、図５は、図３に対応するリザーバの断面図である。
【００１４】
リザーバ１００は、チューブ１０を介して尿路用カテーテルに接続され、使用者が自ら操作してリザーバ１００内に貯留している滅菌水を吐出させて尿路用カテーテルのバルーンに注入するための器具である。リザーバ１００は、図１に示すように、第１のケース１、第２のケース２、及び貯留部３を備えている。
【００１５】
第１のケース１は、吐出方向ｄ側の一端が壁部４で閉じられるとともに、他端が開口する円筒形状に形成されている。この第１のケース１は、一端に円形形状の開口部５が壁部４に形成されており、他端に一対のフランジ６，６が形成されている。
【００１６】
開口部５は第１のケース１の軸線Ａを中心に位置しており、図２に示すように、この開口部５を囲むように４つの略矩形形状の開口部７ａ，８ａ，７ｂ，８ｂが軸線Ａを中心に９０度毎に形成されている。これら開口部７ａ，８ａ，７ｂ，８ｂは、それぞれ第２のケース２の凸部２２，２２及び爪部２３，２３のいずれかが露出するようになっている。
【００１７】
一対のフランジ６，６は、第１のケース１の端部から第１のケース１の軸線Ａに対して垂直方向に延在している。一対のフランジ６，６は、お互いに対して軸線Ａを中心に１８０度離れた位置に配置されている。
【００１８】
第１のケース１の開口部５近傍には、図３に示すように、一対の解除ボタン９，９が設けられており、この解除ボタン９，９は、第１のケース１にロックされた第２のケース２をロック解除するようになっている。解除ボタン９，９は、フランジ６，６に対して軸線Ａを中心に９０度離れた位置に設けられている。すなわち、一対の解除ボタン９，９を結んだ仮想線と一対のフランジ６，６を結んだ仮想線とは軸線Ａに沿って見たときに垂直になるため、使用者が解除ボタン９，９を押すときにフランジ６，６が邪魔にならないようになっている。
【００１９】
解除ボタン９，９は、第１のケース１の円筒形状部が略矩形形状に切り取られて形成されており、フランジ６，６側が第１のケース１に固定された片持ちはり状になっている。すなわち、解除ボタン９，９は、フランジ６，６側を支点に壁部４側が軸線Ａに近づくように揺動可能に設けられている。
【００２０】
第１のケース１は、図４に示すように、各解除ボタン９を挟んで一対の爪部（ロック部）１１，１１が円筒形状部分の内側に形成されている。これら爪部１１，１１は、軸線Ａを中心とした円周方向に解除ボタン９を挟んで配列されている。
【００２１】
爪部１１，１１の両側には、第１のケース１の軸線Ａに沿って爪部１１，１１近傍からフランジ６，６側の端部まで延在する一対の壁部である第１のガイド１２，１２が形成されている。
【００２２】
一方、第１のガイド１２，１２に対して軸線Ａを中心にて９０度ずれた位置には、壁部４近傍からフランジ６，６側の端部まで延在する一対の第２のガイド１３，１３が形成されている。これら第１のガイド１２，１２と第２のガイド１３，１３は、軸線Ａに対して略平行に延在しており、第１のケース１内をスライド移動する第２のケース２を案内するようになっている。なお、図４では、抜け止め１５により第１のガイド１２，１２の間の凹部が隠れて見えないが、第１のガイド１２，１２も第２のガイド１３，１３と概ね同じような形状で形成されている。
【００２３】
第１のケース１の壁部４には、隣り合う第１のガイド１２，１２と第２のガイド１３，１３との間に１つずつ、合わせて４つの円弧形状のストッパ１２が形成されている。このストッパ１２の円弧形状は、第２のケース２の端部が当接する大きさに、すなわち、円弧形状の内径が第２のケース２の外径よりも小さくなるように形成されている。リザーバ１００は、第２のケース２が第１のケース１の奥まで挿入されたときに第２のケース２がストッパ１２に衝突するため、使用者はこのときの衝撃を感じ取って第２のケース２が奥まで挿入されたと判断することができる。
【００２４】
第２のケース２は、図５に示すように、第１のケース１側の一端が開口するとともに、他端が壁部２１で閉じられた円筒形状に形成されている。この第２のケース２は、第１のケース１側の一端に一対の凸部２２，２２（図２参照）が形成され、軸線Ａを中心に凸部２２，２２に対しそれぞれ９０度ずれた位置に一対の爪部２３，２３が形成されており、他端の壁部２１は第１のケース１側に凹むように湾曲している（図１参照）。これら凸部２２，２２及び爪部２３，２３は、第２のケース２から外向き、すなわち軸線Ａに垂直な半径方向外側、に突出している。凸部２２，２２は、第２のケース２が第１のケース１から抜けるのを防止する機能も有しており、第１のケース１のフランジ６，６近傍の端部で第１のケース１の内面に沿って円周方向に延びる抜け止め１５（図４参照）に引っ掛かるようになっている。凸部２２，２２は、軸線Ａを中心とした円周方向においてフランジ６，６と同じ位置に設けられている。これにより、第２のケース２は凸部２２，２２近傍がフランジ６，６で外部部材と接触することが防止されるため、不意に第２のケース２の凸部２２，２２近傍が外部部材に押されて凸部２２，２２の抜け止め１５に対する係合が外れてしまうことを防止する。
【００２５】
爪部２３，２３は、解除ボタン９，９よりも幅広で第１のケース１の一対の爪部１１，１１の両方に同時に引っ掛かる程度の大きさの幅を有し、吐出方向ｄ側が斜面で形成されているとともに壁部２１側が軸線Ａに向けて垂直に立ち上がっている。これにより、第２のケース２が第１のケース１に挿入される際に、第１のケース１の爪部１１，１１に当たったときに半径方向内側に押されて爪部２３，２３近傍がたわむようになっている。一方、第１のケース１の爪部１１，１１は突出方向ｄとは反対側が斜面で形成されているとともに壁部４側が軸線Ａに向けて垂直に立ち上がっている。これにより、爪部２３，２３は、吐出方向ｄとは反対方向に移動する場合は、第１のケース１の爪部１１，１１に引っ掛かるようになっている。なお、爪部２３，２３は、第２のケース２が第１のケース１の奥まで押し込まれても爪部２３，２３の頂部が解除ボタン９，９の吐出方向ｄ側の端部を超えないようになっており、第１のケース１に奥まで押し込まれた第２のケース２は、爪部２３，２３が常に解除ボタン９，９の内側に形成された内面９ａ，９ａ、すなわち第１のケース１の内面を構成する部分、に当接するようになっている。
【００２６】
第２のケース２が第１のケース１に対してスライド移動したときに、第２のケース２の一対の凸部２２，２２は第１のケース１の第１のガイド１２，１２でそれぞれ案内され、第２のケースの一対の爪部２３，２３は第１のケース１の第２のガイド１３，１３でそれぞれ案内される。
【００２７】
貯留部３は、内部に滅菌水を貯留するための容器であり、複数の山部３１、複数の谷部３２、第１のケース１によって支持されるとともにチューブ１０が接続される第１の端部３３、及び第２のケース２に取り付けられる取付部３４を備えている。山部３１、谷部３２、及び第１の端部３３は略円筒形状に形成され、第２の端部３４は円柱形状に形成されている。これにより、貯留部３は、全体として、一端の第１の端部３３に開口が形成されているとともに他端の取付部３４が閉じられた略円筒形状に形成され、円筒形状の外周面に、軸線Ａを中心に全周にわたって外側に突出する６つの山部３１と、これら山部３１どうしの間に形成された５つの谷部３２と、が軸線Ａに沿って形成されている。貯留部３は、第１の端部３３、交互に配置された複数の山部３１及び複数の谷部３２、及び第２の端部３４の順に同軸で形成されている。貯留部３は、例えばＰＶＣ（ポリ塩化ビニル）である弾性材料で形成されている。これにより、貯留部３は、一旦潰れても自らの弾性力により元の形状に戻ろうとする付勢力が生じ、このときに吸引力を生じさせる。従って、貯留部３は、潰れるときに貯留していた滅菌水をチューブ１０内に吐出し、潰れた状態から元の形状に戻るときにチューブ１０内の滅菌水を吸い上げて再び貯留するようになっている。
【００２８】
第１の端部３３は、山部３１から突出した略円筒形状に形成され、第１のケース１の開口部５に差し込まれた後に、内側にチューブ１０（図１参照）が取り付けられるようになっている。この第１の端部３３は、山部３１との境目に、外側に突出した段部３５が形成されている。これにより、第１の端部３３は、貯留部３の吐出方向ｄへの移動を規制する。
【００２９】
第２の端部３４は、山部３１から突出した円柱形状に形成され、第２のケース２（図５参照）に形成された穴部２４に差し込まれるようになっている。
【００３０】
山部３１の各々は、軸線Ａ方向に略対称に略同形状で形成されている。
【００３１】
谷部３２の各々は、山部３１よりも肉厚に形成されている。これにより、各谷部３２は、各山部３１よりも軸線Ａの延びる方向に潰れ難く形成されている。貯留部３は、完全に潰されると、略同じように毎回潰されるため、常に略一定量の滅菌水を吐出及び吸い上げるようになっている。
【００３２】
図６は、貯留部が潰れるときのリザーバを示す断面図である。
貯留部３を潰す際には、先ず、使用者が左右いずれか一方の手の人差し指及び中指をそれぞれ第１のケース１のフランジ６，６の吐出方向ｄ側の面に添えるとともに、同じ手の親指を第２のケース２の壁部２１に添える。なお、手指の不自由な使用者が用いる場合は、左右いずれか一方の手の人差し指及び親指をそれぞれ第１のケース１のフランジ６，６の吐出方向ｄ側の面に添えるとともに、他方の手の親指を第２のケース２の壁部２１に添えることもできる。
【００３３】
次に、使用者が第２のケース２の壁部２１に添えた親指を吐出方向ｄ側に移動させると、親指に押された第２のケース２が第１のケース１内に押し込まれていく。このとき、第２のケース２の凸部２２，２２は第１のケース１の第２のガイド１３，１３で案内され、爪部２３，２３は第１のケース１の第１のガイド１２，１２で案内されることにより、第２のケース２は第１のケース１に向かって真っ直ぐにスライド移動する。このとき、第１のケース１と第２のケースとの間に配置された貯留部３は、軸線Ａ方向に潰されるようになっている。
【００３４】
貯留部３は、上述したように、谷部３２が山部３１よりも軸線Ａの延びる方向に潰れ難く形成されているので、主に山部３１が潰れるようになっている。このとき、貯留部３内に貯留された液体は、第１の端部３３の開口部５を通ってチューブ１０内に吐出される。
【００３５】
第１のケース１の奥まで押し込まれた第２のケース２は、第２のケース２の爪部２３，２３が第１のケース１の爪部１１，１１を乗り越えた後に、第２のケース２の吐出方向ｄ側の端部が、凸部２２，２２と爪部２３，２３との間で、第１のケース１内に設けられたストッパ１２に当接する。これにより、吐出方向ｄ側への移動が規制される。
【００３６】
第２のケース２の爪部２３，２３は、一旦第１のケース１の爪部１１，１１を乗り越えると、第１のケース１の爪部１１，１１に引っ掛かるため、第２のケース２は、第１のケース１内に押し込まれた状態が保持される。これにより、貯留部３がその弾性力により元に戻ろうとする付勢力が抑えられるため、一旦チューブ１０内に吐出した滅菌水を吸い上げないようになっている。
【００３７】
第２のケース２が第１のケース１内に押し込まれた状態で使用者が左右いずれかの手の親指と人差し指とでそれぞれ解除ボタン９，９を内側に押し込むと、解除ボタン９，９の内面９ａ，９ａが第２のケース２の爪部２３，２３を内側に押してたわませる。このとき、第２のケース２の爪部２３，２３は、第１のケース１の爪部１１，１１の高さを超える程度にたわまされると、貯留部３の弾性力により第２のケース２は第１のケース１から離れる方向に押し戻されて第１のケース１の爪部１１，１１を乗り越えるようになっている。
【００３８】
第２のケース２は、爪部２３，２３が一旦第１のケース１の爪部１１，１１を乗り越えると、そのまま貯留部３の弾性力により元の状態までスライド移動し、貯留部３はチューブ１０内の滅菌水を吸い上げて貯留する。
【００３９】
以上により、バルーンカテーテルである尿路用カテーテルにチューブ１０を介して接続されたリザーバ１００は、使用者が第２のケース２を第１のケース１内に押し込んだときに貯留部３内の滅菌水をチューブ１０に吐出し、チューブ１０内に予め貯留していた滅菌水がバルーンカテーテルのバルーン内に注入されてバルーンを膨らませる。このとき、第１のケース１の爪部１１，１１と第２のケース２の爪部２３，２３とが引っ掛かることにより、第２のケース２は、第１のケース１に押し込まれた状態が保持される。
【００４０】
一方、この状態で使用者が解除ボタン９，９を押すと、第１のケース１の爪部１１，１１と第２のケース２の爪部２３，２３との引っ掛かりが解除される。このとき、貯留部３の弾性力と例えばシリコンで形成されたバルーンの弾性力で滅菌水が押し戻される力とにより、第２のケース２は第１のケース１から離れる方向にスライド移動する。
【００４１】
本実施形態では、第１のケース１と、第１のケース１にスライド移動可能に取り付けられた第２のケース２と、第２のケース２が第１のケース１に向けてスライド移動したときに潰されるとともに、第２のケース２を第１のケース１から離す方向に付勢力を生じさせ、一端に第１の端部３３を有して流体を貯留可能な貯留部３と、を備え、第１のケース１は、貯留部３が潰された状態で、第２のケース２を第１のケース１に対して保持する第１のケース１の爪部１１，１１及び第２のケース２の爪部２３，２３を有している。これにより、第２のケース２を第１のケース１内に奥まで押し込んだだけで、第２のケース２は第１のケース１内に押し込まれた状態が保持されるため、容易に操作することができる。
【００４２】
以上、実施形態に基づいて本発明を説明したが、本発明は、これに限定されるものではない。上記実施形態では、リザーバ１００を尿路用カテーテルに接続して用いているがこれに限定されず、液体が吐出される必要性を有する器具等であれば尿路用カテーテル以外に用いられてもよい。
【００４３】
また、上記実施形態では、貯留部３内に滅菌水を貯留しているがこれに限定されず、流体であれば空気等その他の流体であってもよい。
【符号の説明】
【００４４】
１    第１のケース
２    第２のケース
３    貯留部
４    壁部
５    開口部
６    フランジ
７ａ  開口部
７ｂ  開口部
８ａ  開口部
８ｂ  開口部
９    解除ボタン（解除部）
１０    チューブ
１１    爪部（ロック部）
１２    第１のガイド
１３    第２のガイド
１４    ストッパ
１５    抜け止め
２１    壁部
２２    凸部
２３    爪部
２４    穴部
３１    山部
３２    谷部
３３    第１の端部
３４    第２の端部
３５    段部
１００    リザーバ
Ａ    軸線
ｄ    突出方向
【図１】
2020010867.tif 000003
【図２】
2020010867.tif 000004
【図３】
2020010867.tif 000005
【図４】
2020010867.tif 000006
【図５】
2020010867.tif 000007
【図６】
2020010867.tif 000008
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
第１のケースと、
前記第１のケースにスライド移動可能に取り付けられた第２のケースと、
前記第２のケースが前記第１のケースに向けてスライド移動したときに潰されるとともに、前記第２のケースを前記第１のケースから離す方向に付勢力を生じさせ、一端に開口部を有して流体を貯留可能な貯留部と、
を備え、
前記第１のケースは、前記貯留部が潰された状態で、前記第２のケースを前記第１のケースに対して保持するロック部と、前記ロック部による保持状態を解除する解除部とを有し、
前記ロック部は、前記第１のケースから前記解除部を挟む一対の位置で内側に突出する一対の第１の爪部を有し、前記第２のケースから外側に突出する第２の爪部に引っ掛かることにより前記第２のケースを前記第１のケースに対して保持し、
前記第２の爪部は、一対の前記第１の爪部の両方に引っ掛かる大きさの幅を有しており、前記解除部は、操作されたときに一対の前記第１の爪部の間で前記第２の爪部を内側に押し込んで保持状態を解除することを特徴とするリザーバ。